(57)【要約】【課題】  天井直付け用の既設の電球ねじ込みソケットを利用して、天井直付け用照明機器を電力線搬送通信システムに接続するための電力線搬送通信用アダプタ及び電力線搬送通信用発光体を提供する。【解決手段】  本発明に係る電力線搬送通信用アダプタ１は、電力線搬送通信システムに対して照明機器を接続するためのアダプタであって、照明機器が口金を備えた電球２０であり、電力線搬送通信システムがランプソケット１０を備えている場合に、ランプソケット１０に着脱自在に係合し電気的接続可能な口金２と、ランプソケット１０との間を電気的に接続する端子３と、電球２０との間を電気的に接続する端子４と、口金２と端子３と端子４とに電気的に接続したコンデンサ５とを備える。電力線搬送通信用アダプタ１は、電球２０とランプソケット１０との間に配設される。【選択図】図１
2005217575.tif 000002
【特許請求の範囲】
【請求項１】
商用電源に接続した電力線に重畳する搬送信号によって負荷である照明機器を監視、制御する電力線搬送通信システムに対して前記照明機器を接続するための電力線搬送通信用アダプタであって、
前記照明機器が口金を備えた発光体であり、
前記電力線搬送通信システムが発光体ねじ込みソケットを備えている場合に、
前記発光体ねじ込みソケットに着脱自在に係合し電気的接続可能な口金と、前記発光体ねじ込みソケットとの間を電気的に接続する第１端子と、前記発光体との間を電気的に接続する第２端子と、前記口金と前記第１端子と前記第２端子とに電気的に接続して前記搬送信号を通過させるバイパス回路とを備え、
前記発光体と前記発光体ねじ込みソケットとの間に設けたことを特徴とする電力線搬送通信用アダプタ。
【請求項２】
前記バイパス回路を、容量成分で形成した請求項１に記載の電力線搬送通信用アダプタ。
【請求項３】
商用電源に接続した電力線に重畳する搬送信号によって負荷である照明機器を監視、制御する電力線搬送通信システムに対して前記照明機器を接続するための電力線搬送通信用発光体であって、
前記電力線搬送通信システムが発光体ねじ込みソケットを備えている場合に、
前記発光体ねじ込みソケットに係合し電気的接続可能な口金と、前記発光体ねじ込みソケットとの間を電気的に接続する端子と、前記口金と前記端子とに電気的に接続して前記搬送信号を通過させるバイパス回路とを備えたことを特徴とする電力線搬送通信用発光体。
【請求項４】
前記バイパス回路を、容量成分で形成した請求項３に記載の電力線搬送通信用発光体。
【発明の詳細な説明】
【技術分野】
【０００１】
本発明は、商用電源に接続した電力線に重畳した搬送信号によって照明機器等の負荷を監視、制御する電力線搬送通信システムに関し、詳しくは照明機器を電力線搬送通信システムに接続するための電力線搬送通信用アダプタ及び電力線搬送通信用発光体に関するものである。
【背景技術】
【０００２】
従来の電力線搬送通信システムとしては、例えば図５（ａ）に示すように、制御部（不図示）を備えた親機である送信器５０とこの送信器５０により制御される子機である受信器１００を商用電源Ｐに接続した電力線Ｌに接続し、受信器１００に負荷２００を接続して、電力線Ｌに前述の搬送信号を重畳させて送信器５０と受信器１００との間で制御のためのデータ（以降、電力線搬送通信内容と称する。）の授受を行い負荷２００を制御するシステムを挙げることができる。
【０００３】
また、上述の電力線搬送通信システムにおいて、負荷２００がシーリングアダプタ（不図示）を用いて接続するタイプの照明機器であり、手動により負荷２００のオンオフ制御可能な操作スイッチである片切スイッチ１１０と、負荷２００がハイインピーダンスであっても電力線搬送による制御が可能となるように負荷２００の両端に接続されたシーリングアダプタに内蔵したバイパス回路１５０とを備えた構成が開示されている（例えば特許文献１参照）。ユーザーは、既設のスイッチが片切スイッチ１１０で負荷２００がハイインピーダンスである場合でも、電力線搬送通信システムに対して、このシーリングアダプタを用いて接続するタイプの照明機器を簡単に追加することができる。
【０００４】
なお、受信器１００には、例えば図５（ｂ）に示すように、電力線搬送通信内容により負荷２００を制御する電力線搬送通信回路１０１と、送信器５０からの命令を受けた電力線搬送通信回路１０１の命令により負荷２００のオンオフを切り替えるリレー１０２と、リレー１０２と直列に接続される抵抗成分１０３と、電力線搬送通信回路１０１からの命令に従いリレー１０２の開閉を制御する制御回路１０４を備えたものを挙げることができる。
【特許文献１】特開昭５７−７８３３０号公報
【発明の開示】
【発明が解決しようとする課題】
【０００５】
ところが、上述のような従来の電力線搬送通信システムにおいては、シーリングアダプタにバイパス回路が内臓されているので、例えば天井に既設の正負電極端子を有した電球ねじ込みソケットが設けられており、このソケットに口金を備えた電球のような天井直付け用照明機器を接続するような場合には、バイパス回路が内臓されたシーリングアダプタを用いることができないという問題点があった。
【０００６】
本発明は、上記従来技術の問題に鑑み、天井直付け用の既設の電球ねじ込みソケットを利用して、天井直付け用照明機器を電力線搬送通信システムに接続するための電力線搬送通信用アダプタ及び電力線搬送通信用発光体を提供することを目的とする。
【課題を解決するための手段】
【０００７】
上述の目的を達成するために、本発明の請求項１に係る電力線搬送通信用アダプタは、商用電源に接続した電力線に重畳する搬送信号によって負荷である照明機器を監視、制御する電力線搬送通信システムに対して前記照明機器を接続するための電力線搬送通信用アダプタであって、前記照明機器が口金を備えた発光体であり、前記電力線搬送通信システムが発光体ねじ込みソケットを備えている場合に、前記発光体ねじ込みソケットに着脱自在に係合し電気的接続可能な口金と、前記発光体ねじ込みソケットとの間を電気的に接続する第１端子と、前記発光体との間を電気的に接続する第２端子と、前記口金と前記第１端子と前記第２端子とに電気的に接続して前記搬送信号を通過させるバイパス回路とを備え、前記発光体と前記発光体ねじ込みソケットとの間に設けている。
【０００８】
また、本発明の請求項２に係る電力線搬送通信用アダプタは、請求項１に記載の電力線搬送通信用アダプタにおいて、前記バイパス回路を、容量成分で形成している。
【０００９】
また、本発明の請求項３に係る電力線搬送通信用発光体は、商用電源に接続した電力線に重畳する搬送信号によって負荷である照明機器を監視、制御する電力線搬送通信システムに対して前記照明機器を接続するための電力線搬送通信用発光体であって、前記電力線搬送通信システムが発光体ねじ込みソケットを備えている場合に、前記発光体ねじ込みソケットに係合し電気的接続可能な口金と、前記発光体ねじ込みソケットとの間を電気的に接続する端子と、前記口金と前記端子とに電気的に接続して前記搬送信号を通過させるバイパス回路とを備えている。
【００１０】
また、本発明の請求項４に係る電力線搬送通信用発光体は、請求項３に記載の電力線搬送通信用発光体において、前記バイパス回路を、容量成分で形成している。
【発明の効果】
【００１１】
このような構成の電力線搬送通信用アダプタは、発光体ねじ込みソケットに着脱自在に係合し電気的接続可能な口金と、発光体ねじ込みソケットとの間を電気的に接続する第１端子と、発光体との間を電気的に接続する第２端子と、口金と第１端子と第２端子とに電気的に接続して、商用電源に接続した電力線に重畳する搬送信号を通過させるバイパス回路とを備えているので、例えば、既設の操作スイッチが片切であり、電力線搬送通信システムを構成する電力線に、発光体ねじ込みソケットが接続されて設けられているような場合に、口金を備えた発光体と発光体ねじ込みソケットとの間にこのアダプタを配置することで、ユーザーは、電力線搬送通信システムに対して、制御負荷である照明機器を簡単に追加導入することができる。
【００１２】
また、このような構成の電力線搬送通信用発光体は、例えば、既設の操作スイッチが片切であり、電力線搬送通信システムを構成する電力線に、発光体ねじ込みソケットが接続されて設けられているような場合に、発光体ねじ込みソケットに係合し電気的接続可能な口金と、発光体ねじ込みソケットとの間を電気的に接続する端子と、口金と端子とに電気的に接続して、前述の搬送信号を通過させるバイパス回路とを自身に備えているので、ユーザーは、電力線搬送通信システムに対して、制御負荷である照明機器を簡単に追加導入することができる。
【発明を実施するための最良の形態】
【００１３】
以下、本発明に係る実施形態を図面に基づいて説明する。なお、各図において、同一の符号を付した構成は、同一の構成であることを示し、その説明を省略する。
【００１４】
（第１実施形態）
本発明の第１実施形態を図１及び図２に基づいて説明する。図１は、本発明の第１実施形態に係る電力線搬送通信用アダプタ１を示す断面図（一部ブロック図も含む）である。また、図２は、天井直付け用の既設の電球ねじ込みソケット１０（以降、ランプソケット１０と称する。）を利用して電力線搬送通信システムに電球２０を接続する状態を示す説明図である。なお、電力線搬送通信システムについては、背景技術に示したように、既設の操作スイッチが片切である構成と同様であるため、詳細な説明は省略する。
【００１５】
図２に示すように、電力線搬送通信システムを構成する電力線（不図示）に電気的に接続されたランプソケット１０が設けられいる住宅の天井に対し、電力線搬送通信用アダプタ１を介して、口金を備える例えば電球２０のような天井直付け用照明機器を取り付ける。なお、ランプソケット１０には、電球ねじ込み式用の受金１１と端子１２を備えている。
【００１６】
本実施形態においては、電力線搬送通信用アダプタ１は、図１及び図２に示すように、ランプソケット１０に着脱自在に係合し電気的接続可能な口金２と、ランプソケット１０の端子１２と当接可能である端子３と、電球２０の端子２２と当接可能である端子４と、口金２と端子３と端子４とに接続されたコンデンサ５とを備え、商用電源に接続した電力線に重畳した搬送信号を通過させるバイパス回路の機能を備えた構成である。
【００１７】
ここで、例えばユーザーが前述の電力線搬送通信システムに対して通常の口金式の電球２０を接続したい場合、まず電力線搬送通信用アダプタ１の口金を天井のランプソケット１０にねじ込んで、ランプソケット１０の端子１２と端子３とを当接させる。次に、ランプソケット１０に電球２０の口金である端子２１をねじ込み、電球２０の端子２２と端子４とを当接させる。
【００１８】
本実施形態に係る電力線搬送通信用アダプタ１は、ランプソケット１０に着脱自在に係合し電気的接続可能な口金２と、ランプソケット１０の間を電気的に接続する端子３と、電球２０との間を電気的に接続する端子４と、口金２と端子３と端子４とに電気的に接続して、前述の搬送信号を通過させるバイパス回路とを備えているので、例えば、既設の操作スイッチ（不図示）が片切であり、電力線搬送通信システムを構成する電力線に接続されてランプソケット１０が天井に設けられているような場合に、電球２０とランプソケット１０との間にこのアダプタを配置することで、ユーザーは、電力線搬送通信システムに対して、電球２０を簡単に追加導入することができる。
【００１９】
また、コンデンサ５のような容量成分でバイパス回路を形成することで、電力線搬送通信用アダプタ１の厚みが薄く小型化できるため、電球２０とランプソケット１０との間に電力線搬送通信用アダプタ１を設けても、ユーザーは、アダプタ設置前後において略同様の照射状態や景観が得られる。
【００２０】
（第２実施形態）
次に、他の実施形態を、本発明の第２実施形態として図３及び図４に基づいて説明する。図３は、本発明の第２実施形態に係る電力線搬送通信用発光体を示す断面図（一部ブロック図も含む）である。また、図４は、ランプソケット１０を利用して電力線搬送通信システムに電力線搬送通信用発光体を接続する状態を示す説明図である。
【００２１】
第２実施形態においても、図４に示すように、第１実施形態と同様に、ランプソケット１０が設けられいる住宅の天井に対し、電力線搬送通信用発光体である電力線搬送通信用電球２０ａ（以降、電球２０ａと称する。）のような天井直付け用照明機器を取り付ける。
【００２２】
ここで、本実施形態においては、電球２０ａは、図３及び図４に示すように、ランプソケット１０に係合し電気的接続可能な口金である端子２１ａと、ランプソケット１０の端子１２と当接可能である端子２２ａと、端子２１ａと端子２２ａとに電気的に接続したコンデンサ５ａとを備え、商用電源に接続した電力線に重畳した搬送信号を通過させるバイパス回路の機能を備えた構成である。なお、フィラメントｆは、コンデンサ５ａの一端と端子２１ａとの間、コンデンサ５ａの他端と端子２２ａとの間に、図３に示すように電気的に接続される。
【００２３】
本実施形態に係る電球２０ａは、例えば、既設の操作スイッチが片切であり、電力線搬送通信システムを構成する電力線に接続されてランプソケット１０が天井に設けられているような場合に、自身の例えば口金を構成する箇所に前述の搬送信号を通過させるバイパス回路の機能を内臓することで、ユーザーは、電力線搬送通信システムに対して、制御負荷である照明機器（電球２０ａ）を簡単に追加導入することができる。
【００２４】
また、バイパス回路を容量成分で形成することは、バイパス回路の小型化に適しているので、電球２０ａへバイパス回路を組み込みやすい。なお、電球２０ａの口金を構成する箇所にバイパス回路を組み込んでいるため、バイパス回路の有無に関わらず、ユーザーは、略同様の照射状態や景観が得られる。
【００２５】
ここで、第１実施形態及び第２実施形態においては、電力線搬送通信システムの既設の操作スイッチが片切の構成であるが、電力線搬送通信システムは、負荷がハイインピーダンスを有しておりバイパス回路を必要とするような構成であれば、片切の操作スイッチを備えていない構成であってもよい。
【００２６】
また、第１実施形態及び第２実施形態においては、バイパス回路の機能はコンデンサにより実現されているが、直列共振回路を用いてもよい。また、第１実施形態及び第２実施形態においては、電力線搬送通信システムでは電力線搬送通信内容が送信器により負荷である電球２０を制御する形態を例示しているが、電力線搬送通信内容は、制御の他に送信器により例えば、オンの状態であるか、オフの状態であるか等といった負荷の状態を例えば遠隔から監視するような内容であってもよい。
【００２７】
また、第１実施形態及び第２実施形態においては、図１乃至図４に示した口金、受金、ソケットの山、溝の数や形状は、概略形状の一例を図示したものであり、係合必要な箇所が上述のように互いに係合することができればどのような数、形状であってもよい。また、第１実施形態及び第２実施形態においては、負荷は口金を有する電球２０、２０ａを例示しているが、口金を備えた発光体であれば電球に限らず蛍光灯等種々の発光体であってもよい。また、第１実施形態及び第２実施形態においては、天井直付け用照明機器である電球２０、２０ａは、外枠２３を備えた構成であってもよいし、外枠２３を備えない構成であってもよい。
【図面の簡単な説明】
【００２８】
【図１】本発明の第１実施形態に係る電力線搬送通信用アダプタを示す断面図である。
【図２】本発明の第１実施形態に係る電力線搬送通信システムに天井直付け用照明機器を接続する状態を示す説明図である。
【図３】本発明の第２実施形態に係る電力線搬送通信用発光体を示す断面図である。
【図４】本発明の第２実施形態に係る電力線搬送通信システムに電力線搬送通信用発光体を接続する状態を示す説明図である。
【図５】従来の電力線搬送通信システムを示す説明図である。
【符号の説明】
【００２９】
１  電力線搬送通信用アダプタ
２  口金
３、４、１２  端子
５、５ａ  コンデンサ
１０  ランプソケット
１１  受金
２０  電球
２０ａ  電力線搬送通信用電球
２１ａ、２２ａ  端子
【図１】
2005217575.tif 000003
【図２】
2005217575.tif 000004
【図３】
2005217575.tif 000005
【図４】
2005217575.tif 000006
【図５】
2005217575.tif 000007